(57)【要約】【課題】コンクリート製床板などに貫通孔をあけるためのダイヤ粉末を下縁に含んだ円筒状コアビットについて、コアドリル本体への取付けねじの規格の異なる他社製品との互換性が得られるようにする。【解決手段】コアドリル本体Ｋにおけるモーター５Ａ，５Ｂの各回転軸５ａ，５ｂへのコアビット６Ａ，６Ｂの頭部８Ａ，８Ｂの取付け手段として、各回転軸５ａ，５ｂの相互に異なる規格の雄ねじに対応できるように、第１中間部材１０と第２中間部材１１Ａ，１１Ｂとを備え、各回転軸５ａ，５ｂの互いに異なる雄ねじに対応できるように、第１中間部材１０には互いにピッチの異なった複数の種類の雌ねじ１０ＡＢが重合状態で形成される。【選択図】図２
0003146546.tif 000002
【実用新案登録請求の範囲】
【請求項１】
コアドリル本体のモーター回転軸へのコアビット頭部の取付け部分において、上記回転軸の先端部における互いにピッチの異なった複数の種類の雄ねじ部へそれぞれ適合するための互いにピッチの異なった複数の種類の雌ねじが重合状態で設けられていることを特徴とする、コアドリル装置。
【請求項２】
上記複数の種類の雌ねじが、上記コアビット頭部自体に重合状態で形成されていることを特徴とする、請求項１に記載のコアドリル装置。
【請求項３】
上記複数の種類の雌ねじが、上記コアドリル本体のモーター回転軸と上記コアビット頭部の取付け部分との間に介装される継手部材に重合状態で形成されていることを特徴とする、請求項１に記載のコアドリル装置。
【考案の詳細な説明】
【技術分野】
【０００１】
本考案は、建造物のコンクリート製床部のごときコンクリートスラブについて、コアビットの回転により円形の貫通孔を形成するためのコアドリル装置に関する。
【背景技術】
【０００２】
図１に示すように、コンクリートスラブ１に貫通孔を形成する場合、同コンクリートスラブ１に打込み式取付けボルト２ｂを介しフート部２ａを装着された架構２において、モーター５を具えたコアドリル本体Ｋが、ハンドル４の操作によりラック３に沿って昇降可能にセットされ、モーター回転軸５ａには、周壁下縁に沿いダイヤモンド粉末入りカッター部６ａを有するコアビット６が装着される。
【０００３】
ところで、モーター回転軸５ａへのコアビット６の装着は、同モーター回転軸５ａの先端部における雄ねじ部に、コアビット６の上端の雌ねじ部８を螺合させることにより行われるが、そのねじ仕様は製造会社によって異なるため、コアドリル本体Ｋに他社のコアビットは装着できないという不具合がある。
【特許文献１】特開２００５−３２５５４６号公報
【考案の開示】
【考案が解決しようとする課題】
【０００４】
本考案は、コアドリル本体のモーター回転軸へコアビットの装着を行うための互換性について配慮することにより、他社製品のコアビットの装着を支障なく行えるようにしたコアドリル装置を提供することを課題とする。
【課題を解決するための手段】
【０００５】
前述の課題を解決するため、本考案のコアドリル装置は、コアドリル本体のモーター回転軸へのコアビット頭部の取付け部分において、上記回転軸の先端部における互いにピッチの異なった複数の種類の雄ねじ部へそれぞれ適合するための互いにピッチの異なった複数の種類の雌ねじが重合状態で設けられていることを特徴としている。
【０００６】
また、本考案のコアドリル装置は、上記複数の種類の雌ねじが、上記コアビット頭部自体に重合状態で形成されていることを特徴としている。
【０００７】
さらに、本考案のコアドリル装置は、上記複数の種類の雌ねじが、上記コアドリル本体のモーター回転軸と上記コアビット頭部の取付け部分との間に介装される継手部材に重合状態で形成されていることを特徴としている。
【考案の効果】
【０００８】
上述の本考案のコアドリル装置では、コアドリル本体におけるモーター回転軸の先端部に形成された雄ねじ部が、機種によりピッチの異なる複数の種類に分かれていても、同雄ねじ部へ適合しうるように、上記モーター回転軸へのコアビット頭部の取付け部分において、互いにピッチの異なる複数の種類の雌ねじが重合状態で設けられているので、仕様の異なるメーカーどうしの各コアドリル装置においても、コアドリル本体へのコアビットの装着が支障なく行われるようになる。
【０００９】
また、上記複数の種類の雌ねじ部が、上記コアビット頭部自体に重合状態で形成されている場合も、仕様の異なるコアドリル本体のモーター回転軸へのコアビットの装着が著しく簡単に行われるようになる。
【００１０】
さらに、上記複数の種類の雌ねじ部が、上記コアドリル本体のモーター回転軸と上記コアビット頭部の取付け部分との間に介装される継手部材に重合状態で形成されている場合も、同継手部材の新設により、仕様の異なるコアビットどうしの相互間における互換性が簡便に得られるようになる。
【実施例】
【００１１】
図２に示す第１実施例では、一対のコアドリル本体Ｋ，Ｋにおける機種の異なったモーター５Ａ，５Ｂの各回転軸５ａ，５ｂへの２種類のコアビット６Ａ，６Ｂの各頭部８Ａ，８Ｂの取付け手段として、各回転軸５ａ，５ｂの互いにピッチの異なる雄ねじ部のいずれにも螺合できるように、互いにピッチの異なる２種類の雌ねじ１０ＡＢを内部に刻設された第１中間部材１０と、同中間部材１０の外周の雄ねじ１１ａに螺合しうる雌ねじ１１をそれぞれ備えて各コアビット６Ａ，６Ｂの頭部８Ａ，８Ｂの雌ねじ８ａ，８ｂに螺合可能の雄ねじ１２Ａ，１２Ｂをそれぞれ備えた一対の第２中間部材１１Ａ，１１Ｂとが設けられている。
【００１２】
上述の第１実施例では、コアドリル本体Ｋにおけるモーター回転軸５ａ，５ｂの先端部に形成された雄ねじ部が、機種によりピッチの異なる複数の種類に分かれていても、同雄ねじ部へ適合しうるように、モーター回転軸５ａ，５ｂへのコアビット頭部８Ａ，８Ｂの取付け手段としての第１中間部材１０において、互いにピッチの異なる２種類の雌ねじ１０ＡＢが重合状態で設けられているので、仕様の異なるメーカーどうしの各コアドリル装置においても、コアドリル本体Ｋへのコアビット６Ａ，６Ｂの装着が支障なく行われるようになる。
【００１３】
図３に示す第２実施例では、一対のコアドリル本体Ｋ，Ｋにおける機種の異なったモーター５Ａ，５Ｂの各回転軸５ａ，５ｂへの２種類のコアビット６Ａ，６Ｂの各頭部８Ａ，８Ｂの取付け手段として、各回転軸５ａ，５ｂの先端部の互いにピッチの異なる雄ねじに対応した２種類の雌ねじ１０ＡＢが、各頭部８Ａ，８Ｂに刻設されている。
【００１４】
このように、複数の種類の雌ねじ１０ＡＢが、各コアビット６Ａ，６Ｂの頭部８Ａ，８Ｂ自体に重合状態で形成されている場合も、仕様の異なるコアドリル本体５Ａ，５Ｂのモーター回転軸５ａ，５ｂへのコアビット６Ａ，６Ｂの装着が、十分な互換性を備えて著しく簡単に行えるようになる。
【００１５】
さらに、図４に示す第３実施例では、一対のコアドリル本体Ｋ，Ｋにおける機種の異なったモーター５Ａ，５Ｂの各回転軸５ａ，５ｂへの２種類のコアビット６Ａ，６Ｂの各頭部８Ａ，８Ｂの取付け部分において、一対の継手部材１３Ａ，１３Ｂが装備されている。
【００１６】
そして、一方の継手部材１３Ａは、モーター５Ａの回転軸５ａの雄ねじに螺合しうる雌ねじと他のモーター５Ｂの回転軸５ｂの雄ねじに螺合しうる雌ねじとを重合状態で形成された雌ねじ部１０ＡＢと、一方のコアビット６Ａの頭部８Ａ内の雌ねじ１０Ａに螺合しうる雄ねじ１０ａとを備えており、他方の継手部材１３Ｂは、モーター５Ｂの回転軸５ｂの雄ねじに螺合しうる雌ねじと他のモーター５Ａの回転軸５ａの雄ねじに螺合しうる雌ねじとを重合状態で形成された雌ねじ部１０ＡＢと、他方のコアビット６Ｂの頭部８Ｂ内の雌ねじ１０Ｂに螺合しうる雄ねじ１０ｂとを備えている。
【００１７】
このようにして、この第３実施例の場合も、複数の種類の雌ねじ部１０ＡＢが、一対のコアドリル本体Ｋ，Ｋの機種の異なったモーター５Ａ，５Ｂの各回転軸５ａ，５ｂとコアビット頭部８Ａ，８Ｂの取付け部分との間に介装される継手部材１３Ａ，１３Ｂに、それぞれ重合状態で形成されているので、同継手部材１３Ａ，１３Ｂの新設により、仕様の異なるコアビット６Ａ，６Ｂどうしの相互間における互換性が簡便に得られるようになる。
【図面の簡単な説明】
【００１８】
【図１】コアドリル装置の使用状況を示す立面図である。
【図２】本考案の第１実施例としてのコアドリル装置の要部を示す説明図である。
【図３】本考案の第２実施例としてのコアドリル装置の要部を示す説明図である。
【図４】本考案の第３実施例としてのコアドリル装置の要部を示す説明図である。
【符号の説明】
【００１９】
１  コンクリートスラブ
２  架構
２ａ  フート部
２ｂ  打込み式取付けボルト
３  ラック
４  ハンドル
５，５Ａ，５Ｂ  モーター
５ａ，５ｂ  モーター回転軸
６，６Ａ，６Ｂ  コアビット
６ａ  カッター部
８  雌ねじ部
８Ａ，８Ｂ  コアビット頭部
８ａ，８ｂ  雌ねじ
１０  第１中間部材
１０ＡＢ  ２種類の雌ねじ
１１ａ  雄ねじ
１２Ａ，１２Ｂ  雄ねじ
１３Ａ，１３Ｂ  継手部材
【図１】
0003146546.tif 000003
【図２】
0003146546.tif 000004
【図３】
0003146546.tif 000005
【図４】
0003146546.tif 000006